(57)【特許請求の範囲】
【請求項１】
ネットワーク内にゲートウェイノードとデュアルモードノードの２種類の論理ノードを含み、
前記ゲートウェイノードがネットワーク内の前記デュアルモードノードと直接的又は間接的に通信接続し、ネットワーク内のこの２種類の論理ノードが、周期的に繰り返される単一の時間フレームによって時分割通信を行うネットワークのネットワーキング方法であって、
前記ゲートウェイノードが、前記デュアルモードノードとのノード間のリンク信号の一つ又は複数のサービス品質の指標を満たすために、ネットワーク内の前記ゲートウェイノード又は前記デュアルモードノードが複数の前記デュアルモードノードと集中的に通信接続しないようにするために、
チャンネル及びタイムスロットに基づき、前記デュアルモードノードが自身のウェイクアップ時刻を確定するネットワークのネットワーキング方法。
【請求項２】
前記デュアルモードノードのトラフィックスケジューリングマップがチャネルとタイムスロットの二つの次元を含み、
前記トラフィックスケジューリングマップの前記タイムスロットの個数が前記ゲートウェイノード及び前記デュアルモードノードの個数の総和に等しいかそれを上回り、
前記ゲートウェイノードと個々の前記デュアルモードノードがそれぞれ一つの前記タイムスロットを占め、
前記ゲートェイノードと個々の前記デュアルモードノードが一つ又は複数の前記伝送チャネルに分配され、データ伝送を行う請求項１記載のネットワークのネットワーキング方法。
【請求項３】
ネットワーク内にゲートウェイノード、デュアルモードノード及び一つ又は複数のマルチポイントアクセススレーブノードを含み、
ネットワーク内の前記デュアルモードノードが一つ又は複数の前記マルチポイントアクセススレーブノードと通信接続可能であり、ネットワーク内の前記ゲートウェイノード、前記デュアルモードノード及び前記マルチポイントアクセススレーブノードの３種類の論理ノードが、周期的に繰り返される単一の時間フレームによって時分割通信を行うことを特徴とするネットワークのネットワーキング方法であって、
前記ゲートウェイノードが、前記デュアルモードノードとのノード間のリンク信号の一つ又は複数のサービス品質の指標を満たすために、ネットワーク内の前記ゲートウェイノード又は前記デュアルモードノードが複数の前記デュアルモードノードと集中的に通信接続しないようにするために、
チャンネル及びタイムスロットに基づき、前記デュアルモードノードが自身のウェイクアップ時刻を確定し、
及び、前記ゲートウェイノードは、一つ又は複数の前記マルチポイントアクセススレーブノードを有する前記デュアルモードノードと通信接続し、
前記チャンネル及び前記タイムスロットに基づき、前記マルチポイントアクセススレーブノードが、自身のウェイクアップ時刻を確定するネットワークのネットワーキング方法。
【請求項４】
前記デュアルモードノードのトラフィックスケジューリングマップとマルチポイントアクセススレーブノードのトラフィックスケジューリングマップがいずれもチャネルとタイムスロットの二つの次元を含み、
前記デュアルモードノードのトラフィックスケジューリングマップの前記タイムスロットの個数が前記ゲートウェイノードと前記デュアルモードノードの個数の総和に等しいかそれを上回り、
前記ゲートウェイノードと個々の前記デュアルモードノードがそれぞれ一つの前記タイムスロットを占め、
前記デュアルモードノードのトラフィックスケジューリングマップが、前記ゲートウェイノードとそれぞれの前記デュアルモードノードを一つ又は複数のチャネルに分配し、データ伝送を行い、
前記マルチポイントアクセススレーブノードのトラフィックスケジューリングマップの前記タイムスロットの個数が前記マルチポイントアクセススレーブノードの個数に等しいかそれを上回り、
前記マルチポイントアクセススレーブノードのトラフィックスケジューリングマップがそれぞれの前記マルチポイントアクセススレーブノードを一つ又は複数のチャネルに分配し、データ伝送を行う請求項３に記載のネットワークのネットワーキング方法。
【発明の詳細な説明】
【技術分野】
【０００１】
本発明はネットワークのネットワーキング方法及びデバイスに関し、特にゲートウェイノード、デュアルモードノード及びマルチポイントアクセススレーブノードの３種類の論理ノードによって形成される混合ネットワークのネットワーキング方法及びデバイスに関する。
【背景技術】
【０００２】
メッシュネットワーク（ＭｅｓｈＮｅｔｗｏｒｋｓ）は最もよく見られるモノのインターネット又はセンサネットワークのネットワーキング方式である。メッシュネットワーク内の個々のノードはすべてメッセージ転送ノードとなることができ、個々のメッセージ転送ノードを「ワンホップ」と称する。メッシュネットワークのカバー範囲はノード又は「ホップ数」を増やすことで、理論上は無限に延伸させることができる。なぜなら、新たに追加されるノードはいずれも隣り合う「ワンホップ」ノードを通じてデータを転送し、それによりネットワーク内の任意の一つのノードとの通信を実現するからである。しかし、従来のメッシュネットワーク構造は、実際の利用において多くの限界があった。特にノードの増加とネットワーク規模の拡大に伴い、以下の問題が深刻化し、メッシュネットワークのノード数又はネットワーク規模は制限されている。
【０００３】
まず、メッセージ伝送の信頼性が著しく低下し、遅延が著しく増えた。一つのメッセージが問題なく伝送されるには、伝送パス上の各「ワンホップ」又は各メッセージ転送ノードすべてに問題が起こらないことが要求される。このことは「ワンホップ」が増えるごとに、メッシュネットワークにおけるエンドツーエンドのメッセージ伝送平均パケットロス率又は遅延がそれに応じて増加することを意味する。
【０００４】
次に、ネットワークノードが増加するに従い、一つの限られたエリア内における、単位面積当たりのノード密度もそれに応じて高まる。このことは、使用可能なチャネルが有限である状況で、それぞれのノードがメッセージ伝送を行う際に、互いに衝突する確率が著しく高まることを意味する。
【０００５】
さらに、実際の利用において、一つのメッシュネットワークと外部ネットワークとの通信では、一般に固定のいくつかのパス及びネットワーク内のすべてのノードが、いくつかの固定のゲートウェイノードに集まり、外部のネットワークに転送するほかない。このことは、ネットワークノードが増えるに従い、ゲートウェイノード及びゲートウェイに近いノードのその他のノードが転送するメッセージの数量が、ネットワーク遠端のノードよりもかなり多くなることを意味する。これにより、一つのメッシュネットワーク内のメッセージ流量が極端に不均衡になる可能性がある。実際の利用においては、一つのモノのインターネット又はセンサネットワーク内のノードの電気量の消費が極端に不均衡になる可能性がある。最終的に、ネットワーク内のこれらのキーノードの電気量が急速に消費し尽くされ、ネットワーク全体の寿命の大幅な短縮を招く。
【発明の概要】
【発明が解決しようとする課題】
【０００６】
本発明の目的は、従来技術の欠点を克服し、ネットワークのネットワーキング方法及びデバイスを提供し、インテリジェントなネットワーキング切り替え方式を指向的に実現し、知的最適化ネットワークスケジューリングを実現することである。
【課題を解決するための手段】
【０００７】
本発明がその技術的問題を解決するために採用する技術的解決手段は、ネットワーク内にゲートウェイノードとデュアルモードノードの２種類の論理ノードを含むネットワークのネットワーキング方法を提供することである。
【０００８】
ゲートウェイノードがネットワーク内のデュアルモードノードと直接的又は間接的に接続し、ネットワーク内のこの２種類の論理ノードが、周期的に繰り返される単一の時間フレームによって時分割通信を行う。
【０００９】
好ましくは、前記ゲートウェイノードがノード間のリンク信号の一つ又は複数のサービス品質の指標を満たすことを前提に、それぞれのデュアルモードノードの接続個数を均衡化することにより、ネットワーク内のノードが特定の複数のデュアルモードノードと集中的に接続しないようにする。
【００１０】
好ましくは、前記ゲートウェイノードがネットワークトポロジーに基づき、デュアルモードノードの一つのトラフィックスケジューリングマップを生成し、ネットワーク内のデュアルモードノードに伝送し、前記デュアルモードノードが受け取ったデュアルモードノードのトラフィックスケジューリングマップに基づき、自身のウェイクアップ時刻を確定する。
【００１１】
好ましくは、前記デュアルモードノードのトラフィックスケジューリングマップがチャネルの一つの次元を含む。
【００１２】
前記デュアルモードノードがデュアルモードノードのトラフィックスケジューリングマップに基づき自身のデータ伝送チャネルを確定する。
【００１３】
好ましくは、前記デュアルモードノードのトラフィックスケジューリングマップがタイムスロットの一つの次元を含む。
【００１４】
前記デュアルモードノードがデュアルモードノードのトラフィックスケジューリングマップに基づき、自身のウェイクアップ時刻を確定する。
【００１５】
好ましくは、前記デュアルモードノードのトラフィックスケジューリングマップがチャネルとタイムスロットの二つの次元を含む。
【００１６】
前記デュアルモードノードのトラフィックスケジューリングマップのタイムスロットの個数がゲートウェイノードとデュアルモードノードの個数の総和に等しいかそれを上回り、ゲートウェイノードと個々のデュアルモードノードがそれぞれ一つのタイムスロットを占め、ゲートェイノードと個々のデュアルモードノードが一つ又は複数のチャネルに分配され、データ伝送を行う。
【００１７】
本発明がその技術的問題を解決するために採用するもう一つの技術的解決手段は、ネットワーク内にゲートウェイノード、デュアルモードノード及び一つ又は複数のマルチポイントアクセススレーブノードを含むネットワークのネットワーキング方法を提供することである。
【００１８】
ネットワーク内のデュアルモードノードが一つ又は複数のマルチポイントアクセススレーブノードと接続可能であり、ネットワーク内のゲートウェイノード、デュアルモードノード及びマルチポイントアクセススレーブノードの３種類の論理ノードが、周期的に繰り返される単一の時間フレームによって時分割通信を行う。
【００１９】
好ましくは、前記ゲートウェイノードがノード間のリンク信号の一つ又は複数のサービス品質の指標を満たすことを前提に、それぞれのデュアルモードノードの接続個数を均衡化することにより、ネットワーク内のノードが特定の複数のデュアルモードノードと集中的に接続しないようにする。
【００２０】
好ましくは、前記ゲートウェイノードがネットワークトポロジーに基づき、デュアルモードノードの一つのトラフィックスケジューリングマップを生成し、ネットワーク内のデュアルモードノードに伝送し、前記デュアルモードノードが受け取ったデュアルモードノードのトラフィックスケジューリングマップに基づき自身のウェイクアップ時刻を確定し、そのうち一つ又は複数のマルチポイントアクセススレーブノードを有するデュアルモードノードに接続し、一つのマルチポイントアクセススレーブノードのトラフィックスケジューリングマップを生成し、それと接続する一つ又は複数のマルチポイントアクセススレーブノードに伝送し、前記一つ又は複数のマルチポイントアクセススレーブノードが受け取ったマルチポイントアクセススレーブノードのトラフィックスケジューリングマップに基づき、自身のウェイクアップ時刻を確定する。
【００２１】
好ましくは、前記デュアルモードノードのトラフィックスケジューリングマップとマルチポイントアクセススレーブノードのトラフィックスケジューリングマップがいずれもチャネルの一つの次元を含む。
【００２２】
前記デュアルモードノードがデュアルモードノードのトラフィックスケジューリングマップに基づき自身のデータ伝送チャネルを確定する。
【００２３】
前記マルチポイントアクセススレーブノードがマルチポイントアクセススレーブノードのトラフィックスケジューリングマップに基づき自身のデータ伝送チャネルを確定する。
【００２４】
好ましくは、前記デュアルモードノードのトラフィックスケジューリングマップとマルチポイントアクセススレーブノードのトラフィックスケジューリングマップがいずれもタイムスロットの一つの次元を含む。
【００２５】
前記デュアルモードノードがデュアルモードノードのトラフィックスケジューリングマップに基づき、自身のウェイクアップ時刻を確定する。
【００２６】
前記マルチポイントアクセススレーブノードがマルチポイントアクセススレーブノードのトラフィックスケジューリングマップに基づき、自身のウェイクアップ時刻を確定する。
【００２７】
好ましくは、前記デュアルモードノードのトラフィックスケジューリングマップとマルチポイントアクセススレーブノードのトラフィックスケジューリングマップがいずれもチャネルとタイムスロットの二つの次元を含む。
【００２８】
前記デュアルモードノードのトラフィックスケジューリングマップのタイムスロットの個数がゲートウェイノードとデュアルモードノードの個数の総和に等しいかそれを上回り、ゲートウェイノードと個々のデュアルモードノードがそれぞれ一つのタイムスロットを占め、前記デュアルモードノードのトラフィックスケジューリングマップがゲートウェイノードとそれぞれのデュアルモードノードを一つ又は複数のチャネルに分配し、データ伝送を行う。
【００２９】
前記マルチポイントアクセススレーブノードのトラフィックスケジューリングマップのタイムスロットの個数がマルチポイントアクセススレーブノードの個数に等しいかそれを上回り、前記マルチポイントアクセススレーブノードのトラフィックスケジューリングマップがそれぞれのマルチポイントアクセススレーブノードを一つ又は複数のチャネルに分配し、データ伝送を行う。
【００３０】
好ましくは、前記ゲートウェイノードがネットワークトポロジーに基づき、一つの全ネットワークトラフィックスケジューリングマップを生成し、ネットワーク内のデュアルモードノードに伝送し、前記デュアルモードノードが全ネットワークトラフィックスケジューリングマップをそれと接続する一つ又は複数のマルチポイントアクセススレーブノードに伝送し、ネットワーク内の３種類の論理ノードがいずれも全ネットワークトラフィックスケジューリングマップに基づき、自身のウェイクアップ時刻とデータ伝送に使用するチャネルを確定する。
【００３１】
好ましくは、前記全ネットワークトラフィックスケジューリングマップはチャネル又はタイムスロットの一つの次元を含み、又は同時にチャネルとタイムスロットの二つの次元を含む。
【００３２】
本発明がその技術的問題を解決するために採用するさらにもう一つの技術的解決手段は、ネットワークのネットワーキング方法におけるゲートウェイノード、デュアルモードノード及びマルチポイントアクセススレーブノードをサポートし、二つ又は二つ以上の独立した無線モジュールを含むマルチモード無線通信装置を提供することである。
【００３３】
個々の独立した無線モジュールはいずれも無線送受信機、中央処理装置、記憶モジュール及び電池モジュールを含む。
【００３４】
前記無線送受信機は無線信号の送信と受信に用いられる。
【００３５】
前記中央処理装置はネットワークのネットワーキング方法を実現するのに用いられ、前記中央処理装置がトラフィックスケジューリングマップを受信し、記憶モジュールに伝送して記憶し、且つ、トラフィックスケジューリングマップに基づき、自身及び無線送受信機のウェイクアップ又はスリーブ時間を制御する。
【００３６】
好ましくは、個々の無線モジュールが異なる無線通信規格又は周波数帯域で動作する。
【００３７】
好ましくは、個々の無線モジュールが単一モード単一周波数帯域又は単一モード複数周波数帯域の形態で、独立して動作する。
【００３８】
好ましくは、前記無線モジュール間で、有線データインターフェース又は制御信号インターフェースによってインタラクティブする。
【００３９】
好ましくは、前記無線モジュール間で、クロック信号インターフェース又は制御信号インターフェースによって、クロック同期を行い、前記クロック同期がクロックの周波数同期とクロックの位相同期を含む。
【００４０】
好ましくは、個々の無線モジュールが独立してスリーブ又はウェイクアップ可能であり、個々の無線モジュールがさらに外部制御信号を用いて、制御信号インターフェースによって、その他無線通信装置をウェイクアップすることができる。
【発明の効果】
【００４１】
本発明の有益な効果は次のとおりである。
【００４２】
有限なチャネル（即ち周波数）資源下における大規模なネットワーキングのサポートを実現し、個々のデュアルモードノードをいくつかのタイムスロットによって、一定の周期ルールでウェイクアップさせることによって、隣り合うノード、さらには全ネットワーク内のすべてのデュアルモードノードが異なる時刻に通信を行う場合に、又はマルチポイントアクセススレーブノードとデュアルモードノードが同一時刻の異なるチャネルで通信を行う場合にも、異なるノード間で通信が衝突する確率を最小にする。
【００４３】
次に、図面と結びつけて本発明について詳細な説明をする。ただし、本発明のネットワークのネットワーキング方法は実施例に限定されない。
【図面の簡単な説明】
【００４４】
【図１】図１は本発明実施例２の混合ネットワークネットワーキングの見取り図である。
【００４５】
【図２Ａ】図２Ａは本発明実施例１のネットワークのネットワーキング方法の見取り図である。
【００４６】
【図２Ｂ】図２Ｂは本発明実施例１のネットワークのネットワーキング方法又一つの見取り図である。
【００４７】
【図３】図３は本発明のデュアルモードノードのトラフィックスケジューリングマップである。
【００４８】
【図４】図４は本発明のマルチポイントアクセススレーブノードのトラフィックスケジューリングマップである。
【００４９】
【図５】図５は本発明の全ネットワークのトラフィックスケジューリングマップである。
【００５０】
【図６】図６は本発明実施例３のマルチモード無線通信装置の構造図である。
【発明を実施するための形態】
【００５１】
実施例１
【００５２】
図２、３に示すように、本発明のネットワークのネットワーキング方法は、そのネットワーク内にゲートウェイノード１０とデュアルモードノード２０の２種類の論理ノードを含む。
【００５３】
ゲートウェイノード１０はネットワーク内のデュアルモードノード２０と直接的又は間接的に接続し、ネットワーク内のこの２種類の論理ノードが、周期的に繰り返される単一の時間フレームによって時分割通信を行う。
【００５４】
ゲートウェイノード１０はノード間のリンク信号の一つ又は複数のサービス品質の指標を満たすことを前提に、それぞれのデュアルモードノード２０の接続個数を均衡化することにより、ネットワーク内のノードが特定の複数のデュアルモードノード２０と集中的に接続しないようにする。
【００５５】
一つのネットワーク内の個々のノードの接続個数が不均衡になると、一部のノード間の下流の接続個数が著しく不均衡になる。図２Ａに示すように、デュアルモードノードＭ３は３つの下流接続デュアルモードノードＭ４、デュアルモードノードＭ５及びデュアルモードノードＭ６を有し、一方、デュアルモードノードＭ２が有する下流接続は０個である。このような接続方式はネットワーク全体の連続運転のライフサイクルに影響を及ぼす。ノードの接続のバランスを取ることにより、図２Ｂに示すように、デュアルモードノードＭ３は２つの下流接続デュアルモードノードＭ４とデュアルモードノードＭ６を有し、デュアルモードノードＭ２は一つの下流接続デュアルモードノードＭ７を有する。このように分配の最適化と均衡化を図ることで、ネットワーク内のノード接続のバランスを取ることができる。
【００５６】
さらに一歩進んで、前記デュアルモードノードのトラフィックスケジューリングマップはチャネルの一つの次元を含み、前記デュアルモードノード２０はデュアルモードノードのトラフィックスケジューリングマップに基づき、自身のデータ伝送チャネルを確定する。
【００５７】
さらに一歩進んで、前記デュアルモードノードのトラフィックスケジューリングマップはタイムスロットの一つの次元を含み、前記デュアルモードノード２０はデュアルモードノードのトラフィックスケジューリングマップに基づき、自身のウェイクアップ時刻を確定する。
【００５８】
さらに一歩進んで、前記デュアルモードノードのトラフィックスケジューリングマップはチャネルとタイムスロットの二つの次元を含む。
【００５９】
前記デュアルモードノードのトラフィックスケジューリングマップのタイムスロットの個数はゲートウェイノード１０とデュアルモードノード２０の個数の総和に等しいかそれを上回り、ゲートウェイノード１０と個々のデュアルモードノード２０はそれぞれ一つのタイムスロットを占める。ゲートウェイノード１０と個々のデュアルモードノード２０は一つ又は複数のチャネルに分配され、データ伝送を行う。
【００６０】
さらに一歩進んで、前記ゲートウェイノード１０はノード間のリンク信号の一つ又は複数のサービス品質の指標を満たすことを前提に、それぞれのデュアルモードノード２０の接続個数を均衡化することにより、ネットワーク内のノードが特定の複数のデュアルモードノード２０と集中的に接続しないようにする。
【００６１】
実施例２
【００６２】
図１に示すように、本発明のネットワークのネットワーキング方法は、ネットワーク内にゲートウェイノード１０、デュアルモードノード２０及び一つ又は複数のマルチポイントアクセススレーブノード３０を含む。デュアルモードノード２０は一つ又は複数のマルチポイントアクセススレーブノード３０と接続することができる。ゲートウェイノード１０、デュアルモードノード２０及びマルチポイントアクセススレーブノード３０の３種類の論理ノードは、周期的に繰り返される単一の時間フレームによって時分割通信を行う。
【００６３】
図３から図５に示すように、前記ゲートウェイノード１０はネットワークトポロジーに基づき、デュアルモードノードの一つのトラフィックスケジューリングマップを生成し、ネットワーク内のデュアルモードノード２０に伝送する。前記デュアルモードノード２０は受け取ったデュアルモードノードのトラフィックスケジューリングマップに基づき、自身のウェイクアップ時刻を確定する。そのうち一つ又は複数のマルチポイントアクセススレーブノード３０を有するデュアルモードノードに接続し、一つのマルチポイントアクセススレーブノードのトラフィックスケジューリングマップを生成し、それと接続する一つ又は複数のマルチポイントアクセススレーブノード３０に伝送する。前記一つ又は複数のマルチポイントアクセススレーブノード３０は受け取ったマルチポイントアクセススレーブノードのトラフィックスケジューリングマップに基づき、自身のウェイクアップ時刻を確定する。
【００６４】
さらに一歩進んで、前記デュアルモードノードのトラフィックスケジューリングマップはチャネルの一つの次元を含み、前記デュアルモードノード２０はデュアルモードノードのトラフィックスケジューリングマップに基づき、自身のデータ伝送チャネルを確定する。
【００６５】
さらに一歩進んで、前記デュアルモードノードのトラフィックスケジューリングマップはタイムスロットの一つの次元を含み、前記デュアルモードノード２０はデュアルモードノードのトラフィックスケジューリングマップに基づき、自身のウェイクアップ時刻を確定する。
【００６６】
さらに一歩進んで、前記デュアルモードノードのトラフィックスケジューリングマップがチャネルとタイムスロットの二つの次元を含む。
【００６７】
前記デュアルモードノードのトラフィックスケジューリングマップのタイムスロットの個数はゲートウェイノード１０とデュアルモードノード２０の個数の総和に等しいかそれを上回り、ゲートウェイノード１０と個々のデュアルモードノード２０がそれぞれ一つのタイムスロットを占める。ゲートウェイノード１０と個々のデュアルモードノード２０を一つ又は複数のチャネルに分配し、データ伝送を行う。
【００６８】
さらに一歩進んで、前記ゲートウェイノード１０はノード間のリンク信号の一つ又は複数のサービス品質の指標を満たすことを前提に、それぞれのデュアルモードノード２０の接続個数を均衡化することにより、ネットワーク内のノードが特定の複数のデュアルモードノード２０と集中的に接続しないようにする。
【００６９】
さらに一歩進んで、前記ゲートウェイノード１０ネットワークトポロジーに基づき、デュアルモードノードの一つのトラフィックスケジューリングマップを生成し、ネットワーク内のデュアルモードノード２０に伝送する。前記デュアルモードノード２０は受け取ったデュアルモードノードのトラフィックスケジューリングマップに基づき、自身のウェイクアップ時刻を確定する。そのうち一つ又は複数のマルチポイントアクセススレーブノード３０を有するデュアルモードノード２０に接続し、一つのマルチポイントアクセススレーブノードのトラフィックスケジューリングマップを生成し、それと接続する一つ又は複数のマルチポイントアクセススレーブノード３０に伝送し、前記一つ又は複数のマルチポイントアクセススレーブノード３０が受け取ったマルチポイントアクセススレーブノードのトラフィックスケジューリングマップに基づき、自身のウェイクアップ時刻を確定する。
【００７０】
さらに一歩進んで、前記デュアルモードノードのトラフィックスケジューリングマップとマルチポイントアクセススレーブノードのトラフィックスケジューリングマップがいずれもチャネルの一つの次元を含み、前記デュアルモードノード２０はデュアルモードノードのトラフィックスケジューリングマップに基づき、自身のデータ伝送チャネルを確定する。前記マルチポイントアクセススレーブノード３０はマルチポイントアクセススレーブノードのトラフィックスケジューリングマップに基づき、自身のデータ伝送チャネルを確定する。
【００７１】
さらに一歩進んで、前記デュアルモードノードのトラフィックスケジューリングマップとマルチポイントアクセススレーブノードのトラフィックスケジューリングマップがいずれもタイムスロットの一つの次元を含み、前記デュアルモードノード２０はデュアルモードノードのトラフィックスケジューリングマップに基づき、自身のウェイクアップ時刻を確定し、前記マルチポイントアクセススレーブノード３０はマルチポイントアクセススレーブノードのトラフィックスケジューリングマップに基づき、自身のウェイクアップ時刻を確定する。
【００７２】
さらに一歩進んで、前記デュアルモードノードのトラフィックスケジューリングマップとマルチポイントアクセススレーブノードのトラフィックスケジューリングマップはいずれもチャネルとタイムスロットの二つの次元を含む。前記デュアルモードノードのトラフィックスケジューリングマップのタイムスロットの個数はゲートウェイノード１０とデュアルモードノード２０の個数の総和に等しいかそれを上回り、ゲートウェイノード１０と個々のデュアルモードノード２０はそれぞれ一つのタイムスロットを占める。前記デュアルモードノードのトラフィックスケジューリングマップはゲートウェイノードとそれぞれのデュアルモードノード２０を一つ又は複数のチャネルに分配し、データ伝送を行い、前記マルチポイントアクセススレーブノードのトラフィックスケジューリングマップのタイムスロットの個数はマルチポイントアクセススレーブノード３０の個数に等しいかそれを上回る。前記マルチポイントアクセススレーブノードのトラフィックスケジューリングマップはそれぞれのマルチポイントアクセススレーブノード３０を一つ又は複数のチャネルに分配し、データ伝送を行う。
【００７３】
さらに一歩進んで、前記ゲートウェイノード１０はネットワークトポロジーのノードに基づき、一つの全ネットワークトラフィックスケジューリングマップを生成し、ネットワーク内のデュアルモードノードに伝送し、前記デュアルモードノード２０が全ネットワークトラフィックスケジューリングマップをそれと接続する一つ又は複数のマルチポイントアクセススレーブノード３０に伝送する。ネットワーク内の３種類の論理ノードがいずれも全ネットワークトラフィックスケジューリングマップに基づき、自身のウェイクアップ時刻とデータ伝送に使用するチャネルを確定する。
【００７４】
さらに一歩進んで、前記全ネットワークトラフィックスケジューリングマップはチャネル又はタイムスロットの一つの次元を含み、又は同時にチャネルとタイムスロットの二つの次元を含む。
【００７５】
有限なチャネル（即ち周波数）資源下における大規模なネットワーキングのサポートを実現するため、個々のデュアルモードノード２０をいくつかのタイムスロットによって、一定の周期ルールでウェイクアップさせることによって、隣り合うノード、さらには全ネットワーク内のすべてのデュアルモードノードが異なる時刻に通信を行う場合に、又はマルチポイントアクセススレーブノード３０とデュアルモードノード２０が同一時刻の異なるチャネルで通信を行う場合にも、異なるノード間で通信が衝突する確率を最小にする。
【００７６】
本発明のネットワークのネットワーキング方法は、次の３種類の異なるネットワーキング形式で使用できる。即ち、ゲートウェイノード１０とデュアルモードノード２０が直接的又は間接的に接続し、形成されるメッシュネットワーク、デュアルモードノード２０と一つ又は複数のマルチポイントアクセススレーブノード３０が接続して形成されるマルチポイントアクセスネットワーク、ゲートウェイノード１０、デュアルモードノード２０及びマルチポイントアクセススレーブノード３０の３種類の論理ノードで構築される混合ネットワークである。
【００７７】
実施例３
【００７８】
図６に示すように、ネットワークのネットワーキング方法におけるゲートウェイノード、デュアルモードノード及び/又はマルチポイントアクセススレーブノードをサポートするマルチモード無線通信装置であって、二つ又は二つ以上の独立した無線モジュール４０を含む。
【００７９】
個々の独立した無線モジュール４０はいずれも無線送受信機４０１、中央処理装置４０２、記憶モジュール４０３及び電池モジュール４０４を含む。
【００８０】
前記無線送受信機４０１は無線信号の送信と受信に用いられる。
【００８１】
前記中央処理装置４０２はネットワークのネットワーキング方法を実現するために用いられる。前記中央処理装置４０２はトラフィックスケジューリングマップを受信し、記憶モジュール４０３に伝送して記憶し、且つ、トラフィックスケジューリングマップに基づき、自身及び無線送受信機４０１のウェイクアップ又はスリーブ時間を制御する。
【００８２】
個々の無線モジュール４０は異なる無線通信規格又は周波数帯域上で動作する。
【００８３】
さらに一歩進んで、個々の無線モジュール４０は単一モード単一周波数帯域又は単一モード複数周波数帯域の形態で、独立して動作する。
【００８４】
さらに一歩進んで、前記無線モジュール４０の間で、有線データインターフェース又は制御信号インターフェースによってインタラクティブする。
【００８５】
さらに一歩進んで、前記無線モジュール４０の間で、クロック信号インターフェース又は制御信号インターフェースによって、クロック同期を行い、前記クロック同期がクロックの周波数同期とクロックの位相同期を含む。
【００８６】
さらに一歩進んで、個々の無線モジュール４０は独立してスリーブ又はウェイクアップ可能で、個々の無線モジュール４０はさらに外部制御信号を用いて、制御信号インターフェースによって、その他の無線通信装置をウェイクアップできる。
【００８７】
上記の実施例は本発明のネットワークのネットワーキング方法を一歩進んで説明するためだけのもので、本発明は実施例に限定されない。本発明の技術の実質に基づき、上記の実施例に対して行うあらゆる簡単な修正及び同等の変更と修飾を本発明の技術的解決手段の保護範囲内に加える。
【産業上の利用可能性】
【００８８】
本発明のネットワークのネットワーキング方法及びデバイスは、有限なチャネル（即ち周波数）資源下における大規模なネットワーキングをサポートし、個々のデュアルモードノードをいくつかのタイムスロットによって、一定の周期ルールでウェイクアップさせることによって、隣り合うノード、さらには全ネットワーク内のすべてのデュアルモードノードが異なる時刻に通信を行う場合に、又はマルチポイントアクセススレーブノードとデュアルモードノードが同一時刻の異なるチャネルで通信を行う場合にも、異なるノード間で通信が衝突する確率を最小にし、良好な産業上の実用性を有する。
【図１】
0006579716.tif 000002
【図２Ａ】
0006579716.tif 000003
【図２Ｂ】
0006579716.tif 000004
【図３】
0006579716.tif 000005
【図４】
0006579716.tif 000006
【図５】
0006579716.tif 000007
【図６】
0006579716.tif 000008